(57)【要約】【課題】携帯電話機の筐体１０にロッド状アンテナエレメント１６を引き出し収納自在に取り付けるホルダー４０を樹脂で形成し、軽量化したアンテナ取付構造を提供する。【解決手段】樹脂で形成したホルダー４０の周側部に外側に突出して径方向内側に弾性変形し得る舌片４２ａを設け、しかも先端側部分４２と後端側部分４４に２分割し、これらの２分割された部分を樹脂の弾性によりスナップ構造で連結する構造とする。筐体１０に穿設した取付孔３０の内周壁に挿入により舌片４２ａが係合して抜けが規制される係合凹部３０ａを設ける。給電バネ５０の弾接部分５０ａを後端側部分４４内に配設し、引き出し収納状態のいずれでもロッド状アンテナエレメント１６の給電部１６ａ、１６ｂに弾接させる。給電バネ５０の引き出し部分５０ｂをホルダー４０の外方に引き出して配設する。引き出し部分５０ｂに筐体１０に設けた給電端子２０が弾接して電気的に接続する。【選択図】  図１
2005167650.tif 000002
【特許請求の範囲】
【請求項１】
筐体に穿設した取付孔にホルダーを挿入固定し、前記ホルダー内にロッド状アンテナエレメントを前記取付孔の軸方向で前記筐体に対して引き出し収納自在に配設するアンテナ取付構造であって、前記ホルダーを樹脂で形成するとともに周側部に外側に突出するとともに径方向内側に弾性変形し得る舌片を設け、前記取付孔の内周壁に前記ホルダーの挿入により前記舌片が係合して抜けが規制される係合凹部を設け、前記ホルダー内に配設されて引き出し状態および収納状態のいずれでも前記ロッド状アンテナエレメントの給電部に弾接する弾接部分と前記ホルダーの外方に引き出されて配設される引き出し部分とを有する給電バネを設け、前記給電バネの前記引き出し部分に前記筐体に設けた給電端子が弾接して電気的接続するように構成したことを特徴とするアンテナ取付構造。
【請求項２】
筐体に穿設した取付孔にホルダーを挿入固定し、前記ホルダー内にロッド状アンテナエレメントを前記取付孔の軸方向で前記筐体に対して引き出し収納自在に配設するアンテナ取付構造であって、前記ホルダーを樹脂で形成するとともに周側部に前記挿入方向と反対側を遊端として外側に突出するとともに径方向内側に弾性変形し得る舌片を設け、前記取付孔の内周壁に前記ホルダーの挿入により前記舌片が係合して抜けが規制される係合凹部を設け、前記ホルダー内に配設されて引き出し状態および収納状態のいずれでも前記ロッド状アンテナエレメントの給電部に弾接する弾接部分と前記ホルダーの外方に引き出されて配設される引き出し部分とを有する給電バネを設け、前記給電バネの前記引き出し部分に前記筐体に設けた給電端子が弾接して電気的接続するように構成したことを特徴とするアンテナ取付構造。
【請求項３】
前記請求項１記載のアンテナ取付構造において、前記給電バネの前記ホルダー内に配設される弾接部分を前記ホルダー内に組み込み易くするように前記ホルダーを２分割とし、しかも前記２分割された部分を樹脂の弾性を利用するスナップ構造で連結するように構成したことを特徴とするアンテナ取付構造。
【請求項４】
請求項３記載のアンテナ取付構造において、前記ホルダーを前記挿入方向の先端部分と後端側部分に２分割し、しかも前記先端側部分に前記舌片を設け、前記後端側部分に前記給電バネの前記弾接部分を組み込み、前記先端側部分と後端側部分の分割面を経て前記給電バネの引き出し部分を引き出すように構成したことを特徴とするアンテナ取付構造。
【請求項５】
請求項１記載のアンテナ取付構造において、前記係合凹部の前記軸方向位置にある前記取付孔の縁部に、前記舌片を通過させる幅の面取り部を設けて構成したことを特徴とするアンテナ取付構造。
【請求項６】
請求項１記載のアンテナ取付構造において、前記取付孔に対して、前記ホルダーを前記軸回りに回転させて、前記舌片と前記係合凹部が当接する当接面の少なくととも一方を斜面または曲面とし、前記回転により前記斜面または曲面で作用する分力により前記舌片が径方向内側に弾性変形するように構成したことを特徴とするアンテナ取付構造。
【請求項７】
請求項６記載のアンテナ取付構造において、前記ホルダーの周側部に突起状のストッパーを設け、前記取付孔の内周壁に前記舌片が前記係合凹部に係合し得る所定姿勢で前記ホルダーを前記取付孔に挿入する際に前記ストッパーが通過する前記軸方向の第１の縦溝と、前記係合状態の前記舌片が径方向内側に弾性変形して前記係合凹部との係合が外れる状態まで回転する際に前記ストッパーが通過する周方向の周溝と、前記舌片が前記係合凹部との係合が外れた状態で前記ホルダーを前記取付孔から引き出す際に前記ストッパーが通過する前記軸方向の第２の縦溝とを設けて構成したことを特徴とするアンテナ取付構造。
【発明の詳細な説明】
【技術分野】
【０００１】
本発明は、携帯電話機などの筐体に対して、ロッド状アンテナエレメントを引き出し収納自在に取り付けるのが容易であるとともに軽量化に好適なアンテナ取付構造に関するものである。
【背景技術】
【０００２】
従来の携帯電話機の筐体に対してロッド状アンテナエレメントを取り付けるアンテナ取付構造の一例を図１３に示す。図１３は、従来のアンテナ取付構造の縦断面図であり、（ａ）はロッド状アンテナエレメントを収納した状態であり、（ｂ）はロッド状アンテナエレメントを引き出した状態である。
【０００３】
図１３において、筐体１０に受けホルダー１２が配設固定され、この受けホルダー１２に螺設された雌ネジ１２ａに、導電材からなるホルダー１４の雄ネジ１４ａが螺入されて、受けホルダー１２にホルダー１４が固定される。このホルダー１４内にロッド状アンテナエレメント１６が軸方向に引き出し収納自在に配設される。ロッド状アンテナエレメント１６には、収納状態および引き出し状態のいずれでもホルダー１４に臨む位置に導電材からなる給電部１６ａ，１６ｂが設けられる。そして、ホルダー１４には、給電部１６ａ，１６ｂに弾接するように導電弾性材からなる給電バネ１８が設けられ、この給電バネ１８を介して給電部１６ａ，１６ｂとホルダー１４が電気的に導通接続される。さらに、ホルダー１４に筐体１０に設けられた給電端子２０が弾接して、ロッド状アンテナエレメント１６の給電部１６ａ，１６ｂが筐体１０内に収容される電気回路に適宜に電気的に接続される。なお、ロッド状アンテナエレメント１６は、トップローディング２２が設けられている。
【発明の開示】
【発明が解決しようとする課題】
【０００４】
上記従来技術にあっては、ホルダー１４が導電金属で製作されるため、比較的に重量が大となる。また、雌ネジ１２ａが螺設されるため、受けホルダー１２も一般的に金属で製作されており重量が大である。よって、軽量化が望ましい携帯電話機等のアンテナ取付構造として、その改善が強く要請されていた。
【０００５】
本発明は、かかる従来技術の事情に鑑みてなされたもので、ホルダー等を樹脂で形成することで、軽量化を図ったアンテナ取付構造を提供することを目的とする。
【課題を解決するための手段】
【０００６】
上記目的を達成するために、本発明のアンテナ取付構造は、筐体に穿設した取付孔にホルダーを挿入固定し、前記ホルダー内にロッド状アンテナエレメントを前記取付孔の軸方向で前記筐体に対して引き出し収納自在に配設するアンテナ取付構造であって、前記ホルダーを樹脂で形成するとともに周側部に外側に突出するとともに径方向内側に弾性変形し得る舌片を設け、前記取付孔の内周壁に前記ホルダーの挿入により前記舌片が係合して抜けが規制される係合凹部を設け、前記ホルダー内に配設されて引き出し状態および収納状態のいずれでも前記ロッド状アンテナエレメントの給電部に弾接する弾接部分と前記ホルダーの外方に引き出されて配設される引き出し部分とを有する給電バネを設け、前記給電バネの前記引き出し部分に前記筐体に設けた給電端子が弾接して電気的接続するように構成されている。
【０００７】
また、筐体に穿設した取付孔にホルダーを挿入固定し、前記ホルダー内にロッド状アンテナエレメントを前記取付孔の軸方向で前記筐体に対して引き出し収納自在に配設するアンテナ取付構造であって、前記ホルダーを樹脂で形成するとともに周側部に前記挿入方向と反対側を遊端として外側に突出するとともに径方向内側に弾性変形し得る舌片を設け、前記取付孔の内周壁に前記ホルダーの挿入により前記舌片が係合して抜けが規制される係合凹部を設け、前記ホルダー内に配設されて引き出し状態および収納状態のいずれでも前記ロッド状アンテナエレメントの給電部に弾接する弾接部分と前記ホルダーの外方に引き出されて配設される引き出し部分とを有する給電バネを設け、前記給電バネの前記引き出し部分に前記筐体に設けた給電端子が弾接して電気的接続するように構成することもできる。
【０００８】
そして、前記給電バネの前記ホルダー内に配設される弾接部分を前記ホルダー内に組み込み易くするように前記ホルダーを２分割とし、しかも前記２分割された部分を樹脂の弾性を利用するスナップ構造で連結するように構成しても良い。
【０００９】
さらに、前記ホルダーを前記挿入方向の先端部分と後端側部分に２分割し、しかも前記先端側部分に前記舌片を設け、前記後端側部分に前記給電バネの前記弾接部分を組み込み、前記先端側部分と後端側部分の分割面を経て前記給電バネの引き出し部分を引き出すように構成することもできる。
【００１０】
また、前記係合凹部の前記軸方向位置にある前記取付孔の縁部に、前記舌片を通過させる幅の面取り部を設けて構成しても良い。
【００１１】
そしてまた、前記取付孔に対して、前記ホルダーを前記軸回りに回転させて、前記舌片と前記係合凹部が当接する当接面の少なくととも一方を斜面または曲面とし、前記回転により前記斜面または曲面で作用する分力により前記舌片が径方向内側に弾性変形するように構成しても良い。
【００１２】
そしてさらに、前記ホルダーの周側部に突起状のストッパーを設け、前記取付孔の内周壁に前記舌片が前記係合凹部に係合し得る所定姿勢で前記ホルダーを前記取付孔に挿入する際に前記ストッパーが通過する前記軸方向の第１の縦溝と、前記係合状態の前記舌片が径方向内側に弾性変形して前記係合凹部との係合が外れる状態まで回転する際に前記ストッパーが通過する周方向の周溝と、前記舌片が前記係合凹部との係合が外れた状態で前記ホルダーを前記取付孔から引き出す際に前記ストッパーが通過する前記軸方向の第２の縦溝とを設けて構成することもできる。
【発明の効果】
【００１３】
請求項１および２記載のいずれのアンテナ取付構造にあっても、筐体に穿設した取付孔に、樹脂で形成されたホルダーを挿入し、ホルダーに設けた舌片を取付孔の内周壁に設けた係合凹部に係合させてホルダーの抜けを規制して固定がなされる。そこで、ホルダーを、従来の金属で形成されるものに比較して、軽量に形成できる。しかも、ホルダーを螺入固定させる雌ネジを螺設する受けホルダーを必要とせず、筐体自体に設けた取付孔にホルダーが固定され、それだけ軽量化を図るのが容易である。
【００１４】
そして、請求項３記載のアンテナ取付構造にあっては、ホルダーを２分割し、樹脂の弾性を利用するスナップ機構で連結するようにしたので、ホルダー内に給電バネの弾性部分を容易に組み込むことができる。
【００１５】
さらに、請求項４記載のアンテナ取付構造にあっては、ホルダーを挿入方向の先端側部分と後端側部分に２分割するので、給電バネの弾性部分の組み込みが容易であるとともに、分割面を経て給電バネの引き出し部分を容易に引き出すことができる。
【００１６】
また、請求項５記載のアンテナ取付構造にあっては、係合凹部の軸方向位置にある取付孔の縁の箇所に面取り部を設けたので、舌片はこの面取り部の斜面により遊端が径方向内側に円滑に弾性変形し、容易に挿入が可能となる。しかも、面取り部の箇所を目安として、ホルダーを筐体に対して所定の姿勢で容易かつ確実に組み付けることができる。
【００１７】
そしてまた、請求項６記載のアンテナ取付構造にあっては、舌片が係合凹部に係合している状態で、筐体に対してホルダーを軸回りに回転させると、舌片と係合凹部の当接面に設けた斜面または曲面により、舌片が径方向内側に弾性変形して係合が外れ、筐体からホルダーの抜き出しが可能となる。アンテナの交換などに有効である。
【００１８】
そしてさらに、請求項７記載のアンテナ取付構造にあっては、ホルダーの周側部に設けた突起状のストッパーと、取付孔の内周壁に設けられてストッパーが通過する第１と第２の縦溝および周方向の周溝により、ホルダーの筐体に対する挿入と抜き出し姿勢および軸回りの回転量の規制がなし得る。
【発明を実施するための最良の形態】
【００１９】
以下、本発明の実施例を図１ないし図１２を参照して説明する。図１は、本発明のアンテナ取付構造の実施例の要部縦断面図であり、（ａ）はロッド状アンテナエレメントを収納した状態であり、（ｂ）は引き出した状態である。図２は、ホルダーを示し、（ａ）は正面図、（ｂ）は右側面図、（ｃ）は（ａ）のＤ−Ｄ矢視断面図、（ｄ）は（ｂ）のＥ−Ｅ矢視断面図である。図３は、ホルダーを構成する後端側部分を示し、（ａ）は平面図、（ｂ）は正面図、（ｃ）は右側面図、（ｄ）は背面図、（ｅ）は底面図、（ｆ）は（ｂ）のＦ−Ｆ矢視断面図、（ｇ）は（ｃ）のＧ−Ｇ矢視断面図である。図４は、ホルダー構成する先端側部分を示し、（ａ）は平面図、（ｂ）は正面図、（ｃ）は左側面図、（ｄ）は（ｂ）のＨ−Ｈ矢視断面図、（ｅ）は（ｃ）のＩ−Ｉ矢視断面図である。図５は、給電バネを示し、（ａ）は正面図、（ｂ）は底面図、（ｃ）は右側面図である。図６は、後端側部分と給電バネと先端側部分の組み付けを示す図である。図７は、筐体に穿設される取付孔の平面拡大図である。図８は、図１（ａ）のＡ−Ａ矢視断面拡大図である。図９は、図１（ａ）のＢ−Ｂ矢視断面拡大図である。図１０は、図１（ａ）のＣ−Ｃ矢視断面拡大図である。図１１は、取付孔内でホルダーを軸回りに４５°回転させた場合の図１（ａ）のＢ−Ｂ矢視断面拡大図である。図１２は、取付孔内でホルダーを軸回りに４５°回転させた場合の図１（ｂ）のＣ−Ｃ矢視断面拡大図である。
【００２０】
図１において、携帯電話機等の筐体１０に、開口端側が大径となるように段部３０ａを設けた取付孔３０が穿設される。そして、この取付孔３０の内周壁には、後述するホルダー４０の舌片４２ａに臨んで係合凹部３０ｂと給電バネ５０の引き出し部分５０ｂに臨んで開口３０ｃが設けられている。この取付孔３０に挿入して固定されるホルダー４０は、樹脂で成形され、挿入方向に対して略直交する分割面で２分割され、一方の挿入先端側の先端側部分４２と他方の後端側部分４４とからなる
【００２１】
まず、先端側部分４２は、図４に示すごとく周側部に、挿入方向と反対側を遊端として外側に突出するとともに径方向内側に弾性変形し得る舌片４２ａが設けられる。この舌片４２ａは、挿入方向先端側の基端側から遊端に渡り、適宜な斜面が形成され、取付孔３０への挿入にともない円滑に径方向内側に弾性変形し得るように形成されることは勿論である。また、舌片４２ａの周方向片側には、面取り状の斜面４２ｂが形成される。さらに、先端側部分４２の後端側に挿入方向と反対側に向けて一対の係合アーム４２ｃ，４２ｃが突設され、その先端部に係合窓４２ｄ，４２ｄが設けられる。この一対の係合アーム４２ｃ，４２ｃは先端側部分４２と後端側部分４４を連結するスナップ機構の一部を構成する。さらにまた、周側部の挿入先端側に突起状のストッパー４２ｅが突設される。
【００２２】
そして、後端側部分４４は、図３に示すごとく、挿入方向と反対側が大径となる段部４４ａが設けられ、取付孔３０の段部３０ａに当接して挿入が所定位置で規制される。そして、段部４４ａより挿入先端側の周側部が先端側部分４２の一対の係合アーム４２ａ，４２ａの間に狭持されるとともに、狭持される面に係合アーム４２ａ，４２ａの係合窓４２ｄ，４２ｄに挿入係合する係合突部４４ｂ，４４ｂが突設される。この係合突部４４ｂ，４４ｂもスナップ機構の一部を構成している。そこで、先端側部分４２に後端側部分４４を組み付けると、一対の係合アーム４２ｃ，４２ｃが弾性変形してその係合窓４２ｄ，４２ｄに係合突部４４ｂ，４４ｂが係合され、この係合された状態で分離方向の力に対して容易に分離しないように係合窓４２ｄ，４２ｄおよび係合突部４４ｂ，４４ｂが形成されることは勿論である。また、後端側部分４４の後端面には、挿入方向を軸として軸回りに一方にしか回転操作させ得ないような回転操作用溝４４ｃ，４４ｃ…が設けられている。さらに、後述する給電バネ５０の引き出し部分５０ｂを引き出すのに通過させる隙間４４ｄが設けられる。
【００２３】
また、給電バネ５０は、図５に示すごとく、ベリリウム銅やリン青銅などの導電性と弾性を有する板金からなり、後端側部分４４の内周に配設されて、いわゆるチョーチンバネ形状でロッド状アンテナエレメント１６の給電部１６ａ，１６ｂに弾接する弾性部分５０ａと、後端側部分４４の外周側に引き出される引き出し部分５０ｂとからなる。そして、弾接部分５０ａと引き出し部分５０ｂを連結する部分が、組み合わされた先端側部分４２と後端側部分４４の分割面に設けられた隙間４４ｆを経るように形成される。
【００２４】
そこで、図６に示すごとく、後端側部分４４内に給電バネ５０の弾接部分５０ａが組み込まれ、続いて先端側部分４２が後端側部分４４に組み付けられて、一対の係合アーム４２ａ，４２ａの係合窓４２ｄ，４２ｄに係合突部４４ｂ，４４ｂが係合し、先端側部分４２と後端側部分４４が一体化されて、図２のごとく、ホルダー４０が形成される。そこで、一体化されたホルダー４０を、筐体１０に対して所定姿勢で取付孔３０に挿入するならば、舌片４２ａは径方向内側に弾性変形して挿入が許容され、舌片４２ａが取付孔３０の係合凹部３０ｂに臨む位置まで挿入されると、舌片４２ａは弾性復帰して係合凹部３０ｂと、図９のごとく係合して、引き抜き方向への移動が規制される。また、取付孔３０の段部３０ａと後端側部分４４の段部４４ａが当接して、挿入方向への移動が規制される。もって、筐体１０にホルダー４０が固定される。なお、ホルダー４０内にロッド状アンテナエレメント１６が軸方向に引き出し収納自在に配設され、引き出された状態で下端の給電部１６ｂが給電バネ５０の弾接部分５０ａに弾接されて電気的に接続され、また収納された状態で中間の給電部１６ｂが弾接部分５０ａに弾接されて電気的に接続される。そして、図８のごとく、給電バネ５０の引き出し部分５０ｂが取付孔３０に設けられた開口３０ｅに臨んだ状態にあり、筐体１０内に設けた板状バネなどからなる給電端子２０が引き出し部分５０ｂに弾接して電気的に接続される。もって、ロッド状アンテナエレメント１６の給電部１６ａ，１６ｂが給電バネ５０とこれに弾接する給電端子２０を介して筐体１０内に設けられた電気回路に適宜に電気的に接続される。
【００２５】
ところで、ホルダー４０を取付孔３０に挿入して、舌片４２ａが取付孔３０の係合凹部３０ｂに係合するには、ホルダー４０が取付孔３０に対して、挿入方向を軸とした軸回り姿勢が所定の状態でなければならない。すなわち、係合凹部３０ｂに対して舌片４２ａが軸方向位置になければならない。そこで、本発明のアンテナ取付構造の一実施例であっては、図７に示すごとく、ホルダー４０が取付孔３０に対して軸回りに所定の姿勢で、係合凹部３０ｂの軸方向位置にあり、挿入にともない舌片４２ａが当接する取付孔３０の縁に、舌片４２ａの幅より僅かに広くて舌片４２ａがちょうど通過し得る幅の面取り部３０ｄが設けられる。また、所定の姿勢で挿入の際にストッパー４２ｅが通過し得る第１の縦溝３０ｅが取付孔３０の内周壁に軸方向に設けられる。そしてまた、取付孔３０内でホルダー４０を一例として４５°回転させて引き出す際に、ストッパー４２ｅが通過し得る第２の縦溝３０ｆが取付孔３０の内周壁に軸方向に設けられる。さらに、舌片４２ａが係合凹部３０ｂに係合する挿入位置からホルダー４０を軸回りに回転させる際に、ストッパー４２ｅが第１の縦溝３０ｅから第２の縦溝３０ｆに至るまで通過する周方向の周溝３０ｇが、図１０のごとく取付孔３０の内周壁に設けられている。
【００２６】
ここで、ホルダー４０の回転操作用溝４４ｃ，４４ｃ…に適宜な工具を嵌合してホルダー４０を取付孔３０内で軸回りに回転させるならば、舌片４２ａの斜面４２ｂが係合凹部３０ｂの周方向の縁に当接し、径方向内側に加わる分力により舌片４２ａが、図１１のごとく、径方向内側に弾性変形して係合凹部３０ｂとの係合が外れる。これと同時に、図１２のごとく、ストッパー４２ｅが周溝３０ｇを通過し、ホルダー４０が所定量回転すると、ストッパー４２ｅが第２の縦溝３０ｆに臨んで回転が規制される。この回転が規制された状態で、舌片４２ａが係合凹部３０ｂから完全に外れていることは勿論である。そこで、ストッパー４２ｅを第２の縦溝３０ｆを通過させて、ホルダー４０を取付孔３０から引き出すことができ、ロッド状アンテナエレメント１６の交換などが容易になし得る。
【００２７】
なお、上記実施例において、ホルダー４０は挿入方向と略直交する分割面により、先端側部分４２と後端側分４４に２分割されているが、これに限られず、挿入方向と平行な分割面で縦に２分割して給電バネ５０の組み込みが容易であるようにしても良い。そして、２分割された部分を、ホルダー４０として一体化するスナップ機構は、いかなる構造であっても良い。さらに、スナップ機構に代えて、適宜に接着や融着により２分割された部材を一体化させても良い。また、２分割することなしに、給電バネ５０をインサートしてホルダー４０を一体成形しても良い。そしてまた、舌片４２ａは、上記実施例のごとく、遊端の端面で引き抜き方向への移動を規制するもに限られず、ホルダー４０を取付孔３０に挿入する際に弾性変形して挿入を許容し、所定位置まで挿入されると弾性復帰して引き抜き方向への移動を規制できれば、いかなる形状であっても良い。例えば、舌片は、遊端が舌片の基端部より挿入方向にあり、遊端の外周部に鉤状突起を設け、この鉤状突起の係合によって引き抜き方向への移動を規制しても良い。そしてさらに、取付孔３０に対して軸回りにホルダー４０を回転させて舌片４２ａと係合凹部３０ｂとの係合を外す構成は、上記実施例のごとく、舌片４２ａに設けた斜面４２ｂに限られず、斜面４２ｂに代えて曲面であっても良く、また係合凹部３０ｂの舌片４２ａが当接する当接面に舌片４２ａに対して径方向内側に分力が作用するような斜面または曲面を設けても良い。そして、舌片４２ａと係合凹部３０ｂの当接面の相方に、斜面または曲面を設けても良いことは勿論である。さらに、取付孔３０からホルダー４０を引き出す軸回りの姿勢が規定されないならば、舌片４２ａと係合凹部３０ｂの周方向片側の当接面に斜面または曲面を設けるものに限られず、周方向両側の当接面に斜面または曲面を設けても良い。
【図面の簡単な説明】
【００２８】
【図１】本発明のアンテナ取付構造の実施例の要部縦断面図であり、（ａ）ロッド状アンテナエレメントを収納した状態であり、（ｂ）は引き出した状態である。
【図２】ホルダーを示し、（ａ）は正面図、（ｂ）は右側面図、（ｃ）は（ａ）のＤ−Ｄ矢視断面図、（ｄ）は（ｂ）のＥ−Ｅ矢視断面図である。
【図３】ホルダーを構成する後端側部分を示し、（ａ）は平面図、（ｂ）は正面図、（ｃ）は右側面図、（ｄ）は背面図、（ｅ）は底面図、（ｆ）は（ｂ）のＦ−Ｆ矢視断面図、（ｇ）は（ｃ）のＧ−Ｇ矢視断面図である。
【図４】ホルダー構成する先端側部分を示し、（ａ）は平面図、（ｂ）は正面図、（ｃ）は左側面図、（ｄ）は（ｂ）のＨ−Ｈ矢視断面図、（ｅ）は（ｃ）のＩ−Ｉ矢視断面図である。
【図５】給電バネを示し、（ａ）は正面図、（ｂ）は底面図、（ｃ）は右側面図である。
【図６】後端側部分と給電バネと先端側部分の組み付けを示す図である。
【図７】筐体に穿設される取付孔の平面拡大図である。
【図８】図１（ａ）のＡ−Ａ矢視断面拡大図である。
【図９】図１（ａ）のＢ−Ｂ矢視断面拡大図である。
【図１０】図１（ａ）のＣ−Ｃ矢視断面拡大図である。
【図１１】取付孔内でホルダーを軸回りに４５°回転させた場合の図１（ａ）のＢ−Ｂ矢視断面拡大図である。
【図１２】取付孔内でホルダーを軸回りに４５°回転させた場合の図１（ｂ）のＣ−Ｃ矢視断面拡大図である。
【図１３】従来のアンテナ取付構造の縦断面図であり、（ａ）はロッド状アンテナエレメントを収納した状態であり、（ｂ）はロッド状アンテナエレメントを引き出した状態である。
【符号の説明】
【００２９】
１０  筐体
１４，４０  ホルダー
１６  ロッド状アンテナエレメント
１６ａ，１６ｂ  給電部
１８，５０  給電バネ
２０  給電端子
３０  取付孔
３０ａ，４０ａ  段部
３０ｂ  係合凹部
３０ｃ  開口
３０ｄ  面取り部
３０ｅ  第１の縦溝
３０ｆ  第２の縦溝
３０ｇ  周溝
４２  先端側部分
４２ａ  舌片
４２ｂ  斜面
４２ｃ  係合アーム
４２ｄ  係合窓
４２ｅ  ストッパー
４４  後端側部分
４４ｂ  係合突部
４４ｃ  回転操作用溝
４４ｄ  隙間
５０  弾接部分
５０ｂ  引き出し部分
【図１】
2005167650.tif 000003
【図２】
2005167650.tif 000004
【図３】
2005167650.tif 000005
【図４】
2005167650.tif 000006
【図５】
2005167650.tif 000007
【図６】
2005167650.tif 000008
【図７】
2005167650.tif 000009
【図８】
2005167650.tif 000010
【図９】
2005167650.tif 000011
【図１０】
2005167650.tif 000012
【図１１】
2005167650.tif 000013
【図１２】
2005167650.tif 000014
【図１３】
2005167650.tif 000015